【手続補正書】
【提出日】平成18年6月2日(2006.6.2)
【手続補正１】
【補正対象書類名】明細書
【補正対象項目名】全文
【補正方法】変更
【補正の内容】
【書類名】        明細書
【発明の名称】    情報記録方法
【特許請求の範囲】
【請求項１】
メモリー媒体に於けるメモリーポイントに記録する要因によっての値を予め定められた又はランダムに選んで定めた３種類以上の区分指定値（但し零値を含む）を全部記録、感知及び消去する事を可能にし、前記３種類以上の区分指定値の内の１区分指定値を前記メモリー媒体に記録し、次にその記録した区分指定値を直接他の区分指定値に記録し、又は記録している値を感知及び消去をして変更する事を特長とする情報記録方法。
【請求項２】
メモリー媒体に於けるメモリーポイントに記録する要因によっての値を予め定められた又はランダムに選んで定めた３種類以上の区分指定値（但し零値を含む）を全部記録、感知及び消去する事を可能にし、前記３種類以上の区分指定値の内の１区分指定値を前記メモリー媒体に記録し、次にその記録した区分指定値を３種類以上の区分指定値の内の他の１区分指定値に変更する時、一度基準値の値に変更してから目的の他の区分指定値に記録し、又は記録している値を感知及び消去をして再度変更する事を特長とする情報記録方法。
【請求項３】
メモリー媒体に於けるメモリーポンイトに予め定められた又はランダムに選んで定めた記録要因の形、大きさ、個数、位置及び色の要因との組合わせによって３種類以上の全区分（但し零も含む）の記録、感知及び消去を可能にし、その３種類以上の区分の内の１区分を記録要因の形、大きさ、個数、位置及び前記４種類の要因又その要因との組合わせによって記録し、その記録をしている要因を消却して、次に３種類以上の区分の内より他の１区分になる必要な記録要因の形、大きさ、個数位置及び前記４種類の要因又その組合わせて再度記録変更し、又は現状の記録要因を感知及び消去のいずれかを行い、必要な区分に変更する事を特長とする情報記録方法。
【請求項４】
メモリー媒体の一部の指定部分に於いてメモリーポイントに請求項１．２．３のいずれかの記録要因によってデータ用多信号のプログラムを記録し、その記録を感知、記録異動、消去及び変更を可能にして、その後一部分指定部以外に多信号のデータを記録し、その記録を感知、消去及び変更を可能し、前記データ用多信号のプログラムを使用して多信号のデータの結果を導き出す事を特長とする情報記録方法。
【発明の詳細な説明】
【０００１】
【発明の属する技術分野】
コンピュータは高速計算だけでなく情報処理にも使用されて、特に多種な大容量の情報を高速にしかもコンパクトに蓄積でき、又パソコンもやはり同様に考えられる。そしてこの事は多種な大容量の情報を蓄積できるにはフロッピーディスク、光ディスク、光磁気ディスク及び磁気テープなどの記録媒体が必要である。又ワープロも大量、高速でコンパクトな情報を蓄積するフロッピーディスクが必要である。
【０００２】
本発明は磁気や光等のフロッピーディスク、磁気テープ、磁気カード及び光ディスクに於ける記録媒体の技術の分野について行うものである。
【０００３】
磁気記録の場合には、磁気媒体に近接して配置したコイルに信号電流を流して、信号に対応した強さと向きの磁界を作って、媒体に加える。
【０００４】
媒体は磁気誘導によって磁化され、信号の正負と強さに対応した向きと強さをもった微小磁石が作られる。媒体を一定速度で走行させながらこの操作を行うと媒体上には、その運動方向に沿って次々と微小磁石が形成されて並べられる。これによって現在は１信号のみの記録、感知及び消去を行っている。
【０００５】
光記録の場合には、穴あけ方式、光磁気方式及び相変化方式の３種類がある。穴あけ方式は穴で情報を記録した媒体金属板を原盤としてプラスチック円盤に複製すると同じ情報を多量に複製する事ができる。
【０００６】
これがＣＤやＣＤ−ＲＯＭで有る。
【０００７】
光磁気方式はディスクの媒体表面の磁性膜にレーザ光を当てると、その媒体表面温度が上がる。温度が上がるので媒体に於ける磁性膜のＮ極とＳ極が不安定になり反転しやすくなる。この時ディスク表面に垂直な弱い磁界をかけると、その磁界の方向に従って温度の上っている部分だけＮ極とＳ極が反転し磁気的な記録がなされる。そして再生には光の偏光を利用する。この方法は現在２進法の１信号のみを記録、感知及び消去して行っている。
【０００８】
相変化方式は光ディスクの高速結晶化材料と安定なアモルファスの薄板をレーザの照射した短パルスで高パワーの熱エネルギーによって、溶融し急冷される。その範囲がアモルファス状態に変化し記録マークして残る。この記録マークのアモルファスをレーザの照射した長パルスで低パワーの熱エネルギーによって、溶融の結晶化温度まで熱するとアニール項かで結晶状態にもどり消去され、非結晶部の反射率が異なる事を利用する。以上により現状は２進法の１信号のみを変えての記録、消去及び読出に関する技術分野である。
【０００９】
【従来の技術】
従来の情報をいったん電気信号に変えて、それを２進の記録用信号で記録保存し、望む時にその記録用信号から再度記録してある元の電気信号を再生する。この事の技術は進歩している。その媒体へ記録するメモリーポイントの数（ビット）は下記の容量までとなっている。
【００１０】
フロッピーディスクは、その中に入っている円盤型の磁気媒体の大きさによって、従来３．５インチ、５インチ（５．２５）及び８インチの３種類があり、現在３．５インチが主流になり、５インチと８インチはあまり使用していない。この３．５インチは両面倍密度倍トラックの２ＤＤと両面高密度倍トラックの２ＨＤがある。
【００１１】
２ＤＤの記録容量は７２０ＫＢと６４０ＫＢがあり、又２ＨＤの記録容量は１．４４ＭＢと１．２５ＭＢがある。
【００１２】
磁気テープは１／２インチ幅テープの５インチカートリッジリール型が１０ＧＢ、１／４インチ幅テープ５．２５インチ型が５ＧＢと３．５インチ型が２ＧＢ、８ミリテープカートリッジが７ＧＢ及びＤＡＴが４ＧＢが有る。
【００１３】
光ディスクに於ける光磁気記録はＭＤで３．５インチが２ＧＢと相変化記録ＰＣＲ．１２０ミリが６４０ＭＢである。
【００１４】
これら全ての情報の記録再生を行う信号は１と０しか無いのが現状である。しかし市場はまだまだ記録容量を必要とし、要求している。
【００１５】
この要望を毎日、製造技術がチャレンジしてもメモリーポイントの半径を半分して現状の２倍ぐらいしか増やす事が出来ない。
【００１６】
次に記録信号は現在２進法のみでその記録要因の記録があるなしの為、番号等での暗号は容易に解読が出来てしまう。実際トラブルの発生も起こり解読の困難な暗号が望まれている。
【００１７】
【発明が解決しようとする課題】
記録を使用する中央処理装置と内部記憶装置は人間の頭脳に相当する。この例えばコンピュータ本体の内部記憶装置は人間の様に学習や経験による知識が脳細胞の様に記録される。その知識に照らし合わせて良い間違えのない判断や答えを出さなければならない。その為にはいらない記録は他へ移し記録しなければならない。又ワープロに於いてもやはり数頁でその打ち込んだ記憶を他に移し記録しなければ機能しなくなってしまう。これらの時何枚ものフロッピーが必要になってしまいとても不便になる。これ等はほんの一例であるが記録媒体は前記の量までではいくら増えてもまだまだ足りない。本発明は従来の経験のある基本的技術をベースに技術を開発改良していき、非常に多量の記録が出来る様にする事を目的とした方法である。次に予め定められた又はランダムに選んで定めた３種類以上の区分指定の組変えによって、暗号化の記録と多量化の増量記録が出来る様にする事を目的とした方法である。
【００１８】
【課題を解決するための手段】
従来記録媒体のメモリーポイントへ記録要因での１記録を書込み、その記録を感知又は消去して行う。それは２進法の１と０を示す事で記録を行ってきた。本発明は記録媒体の記録要因によって、３種類以上の多信号記録値又は多信号における記録条件を書込み記録し、その記録を感知又は消却して行う。即ち従来の２進法の１と０の時の１を本発明の２種類以上に記録する事で行う。２進数の１桁で表す事が出来て、これをメモリーポイントの最小の情報量であると考えられる。そこで２進数の１桁分の情報量を情報量の単位とし、これをビット（ｂｉｔ）とし、Ｂで表す。本発明は複数値を１メモリーポイントに又は記録要因の形、大きさ、個数及び位置で表わされる複数区分を１メモリーポイントの範囲内に表す事にする。
【００１９】
この事は２進法の同じ情報内容で使用するメモリーポイント（ｂｉｔの記録箇所）が予め定められた又はランダムに選んで定めた３種類以上の区分の多信号法にする事で非常に記録容量が節約され、又暗号化も可能になる。記録が３種類以上にするには本発明の請求項１と２に述べた多信号記録の値を記録要因によって３種類以上の値にする方法又は本発明の請求項３に述べた多信号記録条件を記録要因の形、大きさ、個数、位置及び前記形、大きさ、位置と個数の組合わせによって３種類以上の区分にする方法のいずれかを使えばできる。
【００２０】
【発明の実施の形態】
次に、本発明の実施の形態について図の例をあげて説明する。請求項１と請求項２の例についてメモリー媒体に１区分指定値を磁気で記録する方法である。図１はＢ−Ｈ曲線のヒステリシス特性である。まず記録媒体に於ける消磁状態ａの強磁性体に磁界を加えると、磁束密度Ｂは曲線ａｂｃに沿って増加し、最後に飽和点ｃに達する。（初期磁化曲線）、この飽和点の磁束密度Ｂを飽和磁束密度Ｂｓと呼ぶ。
【００２１】
次に、飽和点ｃから磁界を減らして、さらに逆方向に磁界を加えると、磁束密度Ｂは曲線ｃｆｇｈｉｅに沿って変化して、逆方向の飽和点ｅに達し、この負の飽和磁束密度は−Ｂｓになる。
【００２２】
この逆飽和点ｅからまた磁界を減らして、さらに正方向に磁界を加えると磁束密度Ｂは曲線ｅｊｋｌｍｃに沿って変化し、再度飽和点ｃの飽和磁束密度Ｂｓになる。
【００２３】
請求項１の２例に付いて述べると３区分指定値はｃ点，ｈｌ点，ｅ点、の磁束密度値又５区分指定値はｃ点，ｇｍ点，ｈｌ点，ｉｋ点，ｅ点の磁束密度値で行える。
【００２４】
請求項２は磁界を減少させ、そして増加させるとマイナーループが出来る。これによってバラッキが起こるのをおさえる基準値を定めて行う。
【００２５】
飽和点ｃの基準値とすると３区分指定値はｃ点，ｈ点，ｅ点の磁束密度値又５区分指定値はｃ点，ｇ点，ｈ点，ｉ点，ｅ点の磁束密度値で行う。消磁状態の点ａを基準値とすると３区分指定値はａ点，ｃ点，ｅ点の磁束密度値、又５区分指定値はａ点，ｂ点，ｃ点，ｄ点，ｅ点の磁束密度値で行う。逆飽和点ｅの基準値とすると３区分指定値はｅ点，ｌ点，ｃ点の磁束密度値、又５区分指定値はｅ点，ｋ点，ｌ点，ｍ点，ｃ点の磁束密度値で行う。
【００２６】
図２は座標軸の横軸をＨｂ，縦軸をＨａにとったプライザッハ平面上のＰ粒子の密度分布ρ（Ｈｂ，Ｈａ）を示す。このプライザッハ図上の密度分布と磁性粒子のヒステリシス特性の図である。
【００２７】
図３の（ａ）は請求項２の５区分指定値で基準値の値を記録媒体の消磁状態にして変更する図である。図１のａが初期基準値の値とする。
【００２８】
この時、外部磁界Ｈｘが正の方向にすると図１のｂになりメモリーポイントの図３（ａ）２の様に磁化する。さらに外部磁界Ｈｘを加えると飽和磁束密度Ｂｓになる。これは図１のｃになりメモリーポイントの図３（ａ）３の様に磁化する。
【００２９】
次に基準値の図１のａにもどって負の外部磁界Ｈｘを加えていくと図１のｄになりメモリーポイントの図３（ａ）４の様に磁化する。さらに負の外部磁界Ｈｘを加えると負の飽和磁束密度−Ｂｓになる。これは図１のｅでメモリーポイントの図３（ａ）５の様に磁化する。
【００３０】
図３の（ｂ）は基準値が飽和磁束密度Ｂｓの値である図１のｃとする。メモリーポイントは図３の（ｂ）６の残留磁化点の様になる。
【００３１】
この正の残留磁化から外部磁界Ｈｘを負の方向に作用させると、図１のｇになりメモリーポイントは図３（ｂ）７の様に磁化する。
【００３２】
さらに外部磁界Ｈｘを負の方向に作用させると、正負のＰ粒子のバランスした見掛けの磁化が０の保持力点の図１のｈになりメモリーポイントの図３の（ｂ）８の様になる。又さらに負の外部磁界Ｈｘを加えると、図１のｉになりメモリーポイントは図３（ｂ）９の様になる。
【００３３】
負の外部磁界Ｈｘを加えていくと最後に負の飽和磁束密度−Ｂｓになる。これは図１のｅでメモリーポイントの図３（ｂ）１０の様に磁化する。図３の（ｃ）は基準値が負の飽和磁束密度−Ｂｓの値である図１のｅでメモリーポイントの図３の（ｃ）１１の残留磁化点の様になる。
【００３４】
この負の残留磁化から正の外部磁界Ｈｘを作用させると、図１のｋになりメモリーポイントは図３（ｃ）１２の様になる。
【００３５】
さらに正の外部磁界Ｈｘを加えると、正負のＰ粒子のバランスした見掛けの磁化が０の保持力点の図１のｌで、メモリーポイントは図３（ｃ）１３の様に磁化する。さらに正の外部磁界Ｈｘを作用させると、図１のｍになりメモリーポイントは図３（ｃ）１４の様になる。
【００３６】
正の外部磁界Ｈｘを加えていくと最後に正の飽和磁束密度Ｂｘになる。即ち図１のｃになりメモリーポイントは図３（ｃ）の１５の様になる。なお、この方法は磁化値の記録のみではなく同様に他の記録値にも使用ができる。
【００３７】
図４は値記録でない請求項３の記録要因の形、大きさ、個数や位置及び前記４種類の組合わせの内の個数について説明する光ディスク記録のメモリーポイントである。この光ディスク記録では、穴あけ方式、光磁気方式、相変化方式の３つの記録方式が現在ある。このメモリーポイントの半径は従来より現在は１／２になっても技術的に出来る様になっている。図４の（ａ）は従来のメモリーポイントの点面積では縦２個を書け、横も入れると４も書ける。その為多信号法でその記録要因の個数のみで３種類の信号ができる。
【００３８】
メモリーポイントの半径が１／２になっているので縦×２，横×２で４個で図４の（ｂ）に表した。故に１６種類の信号ができる。なお、この方法は光ディスク記録のみではなく同様に他の記録にも使用して又記録個数も増す事が出来る。
【００３９】
請求項１，２と３の予め定められた又はランダムに選んで定めた３種類以上の区分指定を組み直す事をおこなう。
例えば５区分指定の図３で組み直しを考える事とする。
まず図３は（ｂ）の６のを設定し（ｂ）の１０までを使用する。これを図３（ｃ）の１１に設定を切り替える。そして（ｃ）の１１から（ｃ）の１５までとする。次に図４の（ａ）１〜３．（ｂ）１〜１５の順番を変え組み直しをする。この様に順番を変えて組み直して暗号化の記録や多量化の増量記録をする事が出来る。
【００４０】
今２進法でしかメモリー媒体に記録されていない。そこで９を表現するには２０，２１，２２，２３  １＋０＋０＋８＝９となり、１，０，０，１の４ビットで４メモリーポイントが必要になる。しかし多信号で表すと１ビットで１メモリーポイントになる。さて本発明の請求項４のメモリー媒体に於いてデータや情報等を記録する時そのデータや情報をまとめる為のプログラムが必ず必要になっている。そこで多信号で同じ記録するにはメモリーポイントが凄く少なくてすむ。
【００４１】
そこでメモリー媒体の一部分に指定部をもうけて、それにデータ用多信号のプログラムを予め記録して置く。その後一部分の指定部以外に多信号のデータを記録して、そのプログラムを使用して多信号のデータの結果を導き出す様にする。
【００４２】
【発明の効果】
コンピュータが、全ての人々との生活情報の収集、蓄積や知的能力の向上の手段として使われる様になる。コンピュータは単に現代のバソコンやワープロ等としてではなく、コンピュータとＴＶ、電話、ＦＡＸ，自動車、家庭製品等と融合しながら進んでいくと考えられる。この為にはマルチメディアとよばれる技術が必要である。
【００４３】
パソコンが文字や図形だけでなく、音声で入力が出来て、その端末のＣＤ、ＴＶ、ビデオ等の音声や画像をディジタル信号で高速に処理が出来る。この為にはコンピュータの性能の向上、記録装置の記録容量の増加、通信容量が大幅に増大すると考えられる。これに対応するには多信号方法しかなく、その記録の保存又画像処理技術や知能処理技術の進歩の為に、大容量の外部記録における多信号法のフロッピーディスク、多信号法の磁気テープ及び多信号法の光ディスク等が多量に必要である。
【００４４】
本発明は特に大容量、暗号化及び特殊な使用による方法等に適しているのでうってつけである。次にパソコン間での直接に通信する電子メールが出来る様になり、本発明の多信号の暗号化がトラブルのない安全の為には必要になる。家庭には光ケーブルで必要な時には、放送された番組のビデオや映画及び必要な情報を短時間に送ってもつて、見る事が出来て、又新聞も光ケーブルで送ってもらい、必要な部分を保持して、本発明の多信号での少ないビットでの保存、多信号のナンバリング及び多信号の暗号化が必要になり、使用して可能になる。
【００４５】
この他にも会社の仕事、ショッピング、区役所等の事務手続き、旅行等の情報、まだまだいくらでも本発明の多信号の記録方法が必要と考えられてくる。
【００４６】
【図面の簡単な説明】
【図１】はＢ−Ｈ曲線のヒステリシス特性である。
【図２】はプライザッハ図上の密度分布と磁性粒子のヒステリシス特性である。
【図３】は各基準値からの５区分指定値の磁化状態である。
（ａ）は基準値の消磁状態からの５区分指定値の磁化状態
（ｂ）は基準値の飽和磁束密度からの５区分指定値の磁化状態
（ｃ）は基準値の負の飽和磁束密度からの５区分指定値の磁化状態
【図４】は記録要因の位置、大きさ及び個数による区分の例
（ａ）は従来の点線円と現在位置、大きさおよび個数による３区分
（ｂ）は現在の位置、大きさ及び個数による１５区分
【００４７】
【符号の説明】
１は減磁磁化曲線
２は初期減磁化曲線
３は初期磁化曲線
４は増磁磁化曲線
５は正から負の磁化反転境界線
６は負から正の磁化反転境界線
７は負磁化領域
８は正磁化領域
９は着磁領域
１０は磁化反転境界線
【手続補正２】
【補正対象書類名】図面
【補正対象項目名】図５
【補正方法】削除
【補正の内容】
【手続補正３】
【補正対象書類名】図面
【補正対象項目名】図６
【補正方法】削除
【補正の内容】
【手続補正４】
【補正対象書類名】図面
【補正対象項目名】図７
【補正方法】削除
【補正の内容】